(57)【特許請求の範囲】
【請求項１】
平面視において、第１辺に屋内空間との間を区画する第１区画壁が設けられ、前記第１辺に対向する第２辺に建物の外部空間又は前記屋内空間との間を区画する第２区画壁が設けられ、第３辺に建物の外部空間又は前記屋内空間との間を区画する第３区画壁が設けられ、前記第３辺に対向する第４辺に建物の外部空間と通じる採風部が設けられた、平面視で前記第１辺〜第４辺により略矩形に形作られた採風空間と、
前記採風部に設けられ、前記第４辺よりも建物の外部空間に向かって突出し、風の流れを変えて前記採風空間内に前記風を取り入れる板状部材と、を備え、
前記第１区画壁には、前記屋内空間と通じる通風開口部が形成され、
前記採風部は、前記板状部材を挟んだ前記第４辺の一方側に設けられた第１採風開口部と、前記板状部材を挟んだ前記第４辺の他方側に設けられた第２採風開口部と、を備え、
前記第４辺に、建物の外部空間との間を区画する第４区画壁を備え、
前記第１採風開口部と前記第２採風開口部とは前記第４区画壁に配置され、
前記板状部材は、前記第１採風開口部と前記第２採風開口部とを開閉可能な縦辷り出し形式の建具であることを特徴とする、建物。
【請求項２】
平面視において、第１辺に屋内空間との間を区画する第１区画壁が設けられ、前記第１辺に対向する第２辺に建物の外部空間又は前記屋内空間との間を区画する第２区画壁が設けられ、第３辺に建物の外部空間又は前記屋内空間との間を区画する第３区画壁が設けられ、前記第３辺に対向する第４辺に建物の外部空間と通じる採風部が設けられた、平面視で前記第１辺〜第４辺により略矩形に形作られた採風空間と、
前記採風部に設けられ、前記第４辺よりも建物の外部空間に向かって突出し、風の流れを変えて前記採風空間内に前記風を取り入れる板状部材と、を備え、
前記第１区画壁には、前記屋内空間と通じる通風開口部が形成され、
前記採風部は、前記板状部材を挟んだ前記第４辺の一方側に設けられた第１採風開口部と、前記板状部材を挟んだ前記第４辺の他方側に設けられた第２採風開口部と、を備え、
前記第４辺に、建物の外部空間との間を区画する第４区画壁を備え、
前記第１採風開口部と前記第２採風開口部とは前記第４区画壁に配置され、
前記板状部材は、前記第１採風開口部を開閉可能な片開き窓と、前記第２採風開口部を開閉可能な片開き窓からなり、前記２つの片開き窓は互いが隣接する側が吊元となり、それぞれ外側が開くように設置されていることを特徴とする、建物。
【請求項３】
前記通風開口部は、前記第１区画壁と前記第３区画壁とにより形成される入隅部に隣接して配置されている、請求項１又は２に記載の建物。
【請求項４】
前記通風開口部には引き違い形式の建具が設けられる、請求項１乃至３のいずれか一項に記載の建物。
【請求項５】
前記通風開口部を第１通風開口部とした場合に、前記第２区画壁に前記屋内空間と通じる第２通風開口部が形成されている、請求項１乃至４のいずれか一項に記載の建物。
【請求項６】
前記第２区画壁とは反対側で、前記第１区画壁と対向する外壁を更に備え、
前記外壁には、換気開口部が形成されている、請求項１乃至５のいずれか１つに記載の建物。
【請求項７】
前記採風空間に屋根が設けられる、請求項１乃至６のいずれか一項に記載の建物。
【請求項８】
前記屋根に天窓が設けられる、請求項７に記載の建物。
【請求項９】
前記第４辺は、隣接する建物の外周壁に対して略平行にかつ５０センチメートル〜２００センチメートルの対向距離で配置される、請求項１乃至８のいずれか一項に記載の建物。
【請求項１０】
平面視において、第１辺に屋内空間との間を区画する第１区画壁が設けられ、前記第１辺に対向する第２辺に建物の外部空間又は前記屋内空間との間を区画する第２区画壁が設けられ、第３辺に建物の外部空間又は前記屋内空間との間を区画する第３区画壁が設けられ、前記第３辺に対向する第４辺に建物の外部空間と通じる採風部が設けられた、平面視で前記第１辺〜第４辺により略矩形に形作られた採風空間と、
前記採風部に設けられ、前記第４辺よりも建物の外部空間に向かって突出し、風の流れを変えて前記採風空間内に前記風を取り入れる板状部材と、を備え、
前記第１区画壁には、前記屋内空間と通じる第１通風開口部が形成され、
前記第２区画壁に前記屋内空間と通じる第２通風開口部が形成されていることを特徴とする、建物。
【請求項１１】
平面視において、第１辺に屋内空間との間を区画する第１区画壁が設けられ、前記第１辺に対向する第２辺に建物の外部空間又は前記屋内空間との間を区画する第２区画壁が設けられ、第３辺に建物の外部空間又は前記屋内空間との間を区画する第３区画壁が設けられ、前記第３辺に対向する第４辺に建物の外部空間と通じる採風部が設けられた、平面視で前記第１辺〜第４辺により略矩形に形作られた採風空間と、
前記採風部に設けられ、前記第４辺よりも建物の外部空間に向かって突出し、風の流れを変えて前記採風空間内に前記風を取り入れる板状部材と、を備え、
前記第１区画壁には、前記屋内空間と通じる通風開口部が形成され、
前記第４辺は、隣接する建物の外周壁に対して略平行にかつ５０センチメートル〜２００センチメートルの対向距離で配置されることを特徴とする、建物。
【発明の詳細な説明】
【技術分野】
【０００１】
本発明は建物に関する。
【背景技術】
【０００２】
従来から、建物密集地等において採光性や通風性を確保するため、外周壁に開口部を設ける建物の構成が知られている。この種の建物として、特許文献１には、平面視で内側に凹み、その凹みで奥面よりも側面を短くし、この側面に開閉自在な縦長の窓が設けられた建物が開示されている。
【先行技術文献】
【特許文献】
【０００３】
【特許文献１】特開２０１３−１４７８０２号公報
【発明の概要】
【発明が解決しようとする課題】
【０００４】
ここで、より効率的に風を取り込むことができれば、通風性を更に向上させことができる。一方で、風を取り込むために外周壁に大きな開口部を設けると、主寝室等の屋内空間でプライバシーが確保できなくなることがある。
【０００５】
そこで本発明は、建物密集地等において、屋内空間のプライバシーを確保しつつ、効率的に風を屋内空間に取り込むことができる建物を提供することを目的とするものである。
【課題を解決するための手段】
【０００６】
本発明の第１の態様としての建物は、平面視において、第１辺に屋内空間との間を区画する第１区画壁が設けられ、前記第１辺に対向する第２辺に建物の外部空間又は前記屋内空間との間を区画する第２区画壁が設けられ、第３辺に建物の外部空間又は前記屋内空間との間を区画する第３区画壁が設けられ、前記第３辺に対向する第４辺に建物の外部空間と通じる採風部が設けられた、平面視で前記第１辺〜第４辺により略矩形に形作られた採風空間と、前記採風部に設けられ、前記第４辺よりも建物の外部空間に向かって突出し、風の流れを変えて前記採風空間内に前記風を取り入れる板状部材と、を備え、前記第１区画壁には、前記屋内空間と通じる通風開口部が形成されていることを特徴とするものである。
【０００７】
本発明の１つの実施形態として、前記採風部は、前記板状部材を挟んだ前記第４辺の一方側に設けられた第１採風開口部と、前記板状部材を挟んだ前記第４辺の他方側に設けられた第２採風開口部と、を備えることが好ましい。
【０００８】
本発明の１つの実施形態としての建物は、前記第４辺に、建物の外部空間との間を区画する第４区画壁を備え、前記第１採風開口部と前記第２採風開口部とは前記第４区画壁に配置され、前記板状部材は、前記第１採風開口部と前記第２採風開口部とを開閉可能な縦辷り出し形式の建具であることが好ましい。
【０００９】
本発明の１つの実施形態として、前記通風開口部は、前記第１区画壁と前記第３区画壁とにより形成される入隅部に隣接して配置されていることが好ましい。
【００１０】
本発明の１つの実施形態として、前記通風開口部には引き違い形式の建具が設けられることが好ましい。
【００１１】
本発明の１つの実施形態として、前記通風開口部を第１通風開口部とした場合に、前記第２区画壁に前記屋内空間と通じる第２通風開口部が形成されていることが好ましい。
【００１２】
本発明の１つの実施形態としての建物は、前記第２区画壁とは反対側で、前記第１区画壁と対向する外壁を更に備え、前記外壁には、換気開口部が形成されていることが好ましい。
【００１３】
本発明の１つの実施形態として、前記採風空間に屋根が設けられることが好ましく、前記屋根に天窓が設けられることがより好ましい。
【００１４】
本発明の１つの実施形態として、前記第４辺は、隣接する建物の外周壁に対して略平行にかつ近接して配置されることが好ましい。
【発明の効果】
【００１５】
本発明によれば、建物密集地等において、屋内空間のプライバシーを確保しつつ、効率的に風を屋内空間に取り込むことができる建物を提供することができる。
【図面の簡単な説明】
【００１６】
【図１】本発明の一実施形態としての建物の２階平面図である。
【図２Ａ】図１の破線Ｉで囲まれた部分を示すとともに、建物内に流れる風の一例を表す、建物の拡大平面図である。
【図２Ｂ】図１の破線Ｉで囲まれた部分を示すとともに、建物内に流れる風の他の例を表す、建物の拡大平面図である。
【００１７】
以下、本発明に係る建物の実施形態について、図１〜図２Ｂを参照して説明する。なお、各図において共通の部材には、同一の符号を付している。
【００１８】
ここで、図１は、本発明に係る建物の一実施形態としての建物１の２階平面図である。図２Ａ及び図２Ｂは、図１の破線Ｉで囲まれた部分を示す、建物１の拡大平面図である。
【００１９】
まず、建物１の全体構成について説明する。建物１は、鉄骨造の軸組みを有する２階建ての工業化住宅である。
【００２０】
建物１の１階には、玄関、廊下、リビング・ダイニング・キッチン（ＬＤＫ）、部屋、収納室、階段室等が配置されている。また、図１に示すように、建物１の２階には、採風空間１１、廊下１７、リビング１８、部屋としての主寝室１９ａ、部屋としての子供室１９ｂ、部屋１９ｃ、ベランダ１９ｄ、洗面室２０、屋根付きの屋外空間２１、浴室２３、トイレ２４等が配置されている。主寝室１９ａ及び子供室１９ｂにはそれぞれ、クローゼット１９ａ１及び１９ｂ１が設けられている。
【００２１】
建物１は、地盤に固定された鉄筋コンクリート造の基礎構造体（図示省略）と、柱部材や梁部材などの軸組部材で構成された軸組架構を有し、基礎構造体に固定された上部構造体と、で構成されている。なお、軸組架構を構成する軸組部材は、規格化（標準化）されたものであり、予め工場にて製造されたのち建築現場に搬入されて組み立てられる。
【００２２】
基礎構造体は、軸組架構の下方に位置し、軸組架構を支持している。具体的に、基礎構造体は、鉄筋コンクリート造の断面Ｔ字状の布基礎であり、フーチング部と、基礎梁としての立ち上がり部とを備える。また、基礎構造体の立ち上がり部の上端部には、露出型固定柱脚工法により軸組架構の柱部材の柱脚を固定するための柱脚固定部が設けられ、アンカーボルトが立ち上がり部の上面から突出している。
【００２３】
上部構造体は、複数の柱部材及び柱部材間に架設された複数の梁部材から構成される軸組架構と、この軸組架構の外周部に配置される外周壁２と、階層間を上階屋内空間と下階屋内空間とに隔てる床仕切体３と、を備えている。なお、本実施形態の建物１は２階建ての住宅であるため、本実施形態の上階屋内空間は２階の屋内空間であり、本実施形態の下階屋内空間は１階の屋内空間である。
【００２４】
外周壁２は、外装部材と、断熱部材と、内装部材と、を含んでいる。外装部材は、例えば、軽量気泡コンクリート（以下、「ＡＬＣ」と記載する。「ＡＬＣ」とは「autoclaved light weight concrete」の略である。）のパネルにより構成することができ、軸組架構の周囲にＡＬＣパネルを複数連接させることにより、外周壁２の外層を形成することができる。断熱部材は、例えば、フェノールフォーム、ポリスチレンフォーム、ウレタンフォーム等の発泡樹脂系の材料で形成することができ、上述の外装部材により形成された外層の内面に沿って連接することにより、外周壁２の断熱層を形成することができる。更に、内装部材は、例えば、石膏ボードを用いることができ、断熱層の内側に連接することにより、外周壁２の内層を形成することができる。なお、図１では、外周壁２の外装部材、断熱部材及び内装部材を区別せずに一体として描いている。
【００２５】
床仕切体３は、床支持部材を含んでいる。床支持部材は、例えば、ＡＬＣパネルにより構成することができる。床支持部材は、梁部材間に架設され、梁部材により直接的又は間接的に支持される。なお、床仕切体３のうち格子床部４０ａ及び４０ｂについては、床支持部材として、鋼材又は木材で形成された複数の桟材４１が用いられている（図１参照）。
【００２６】
ここで、「床仕切体」とは、上階屋内空間と下階屋内空間とを仕切るものであり、軸組架構を除く、下階屋内空間の天面から上階屋内空間の床面までの間に位置する部材の集合体を意味するものである。従って、床仕切体は、上述した床支持部材に加えて、例えば、床支持部材に対して直接的又は間接的に固定された、下階屋内空間の天井面を構成する天井内装部材や、床支持部材上に積層された、上階屋内空間の床面を構成するフローリング等の床内装部材などを含む概念である。そして、本実施形態の床仕切体３は、上階屋内空間としての２階の屋内空間と、下階屋内空間としての１階の屋内空間とを仕切るものである。
【００２７】
本実施形態の外周壁２は、図１に示すように上階としての２階の周囲を取り囲む上階外周壁２ａと、下階としての１階の周囲を取り囲む下階外周壁と、を備えている。
【００２８】
図１に示すように、上階外周壁２ａは、西側の一側面を構成する第１外壁２ａ１と、北側の一側面を構成する第２外壁２ａ２と、東側の一側面を構成する第３外壁２ａ３と、南側の一側面を構成する第４外壁２ａ４と、を備えている。
【００２９】
図１に示すように、第１外壁２ａ１は、南北方向に直線状に延在しており、廊下１７や洗面室２０や浴室２３等の西側を屋根付きの屋外空間２１と区画している。また、図１に示すように、第２外壁２ａ２は、東西方向に直線状に延在しており、リビング１８、主寝室１９ａ、洗面室２０、浴室２３及びトイレ２４の北側を建物１の外部空間と区画している。更に、図１に示すように、第３外壁２ａ３は、南北方向に直線状に延在しており、採風空間１１、部屋１９ａ〜１９ｃ及びベランダ１９ｄの東側を建物１の外部空間と区画している。また更に、図１に示すように、第４外壁２ａ４は、東西方向に直線状に延在しており、部屋１９ｃ、及び第１床開口部３ａが形成された簀の子状の床部の南側を建物１の外部空間と区画している。
【００３０】
そして、平面視での第１外壁２ａ１の延在方向（本実施形態では南北方向である。以下、単に「延在方向Ａ」と記載する。）における第１外壁２ａ１の両端は、平面視において第１外壁２ａ１と直交する２つの外壁としての第２外壁２ａ２及び第４外壁２ａ４と連続して出隅部４ａ及び４ｂを形成している。また、上階外周壁２ａは、平面視において略四角形状を有しており、互いに略平行して延在する第１外壁２ａ１及び第３外壁２ａ３と、これら第１外壁２ａ１及び第３外壁２ａ３と略直交し、互いに略平行する第２外壁２ａ２及び第４外壁２ａ４と、で構成されている。
【００３１】
以下、建物１の特徴部分について説明する。
【００３２】
図２Ａは、図１の破線Ｉで囲んだ部分を示す、建物１の拡大平面図である。図２Ａに示すように、採風空間１１は平面視で周囲の壁により略矩形に形作られている。具体的には、第１辺に第１通風開口部１２ａが形成された第１区画壁１１ａが設けられ、第１辺と対向する第２辺に第２通風開口部１２ｂが形成された第２区画壁１１ｂが設けられ、第１辺及び第２辺と略直交する第３辺に開口部が形成されていない第３区画壁１１ｃが設けられる。第１通風開口部１２ａ及び第２通風開口部１２ｂにはそれぞれ、開閉可能な建具としての引き違い戸１３ａ及び１３ｂが設けられている。第１〜第３区画壁１１ａ〜１１ｃは、採風空間１１と屋内空間としての室内空間、具体的には主寝室１９ａ及び子供室１９ｂとを区画する。なお、第１区画壁１１ａ及び／又は第２区画壁１１ｂを、引き違い戸のみで構成することもできる。
【００３３】
平面視において第１及び第２辺と略直交し、第３辺と対向する第４辺には、第１採風開口部１４ａ及び第２採風開口部１４ｂが形成された第４区画壁１１ｄが設けられる。なお、第４区画壁１１ｄは上述した第３外壁２ａ３の一部である。採風空間１１は、第４辺において、第１通風開口部１２ａと第２通風開口部１２ｂとを通じて、建物１の外部と連通することができる。言い換えれば、第４辺には建物１の外部空間と通じる採風部が設けられている。なお、第４辺に、第４区画壁１１ｄを設けずに、採風空間１１を屋外空間とすることもできる。かかる場合には、第４辺に例えば手すりを設けることができる。
【００３４】
ここでいう「区画壁」は、屋内外を区画する外壁と、屋内の空間同士を区画する仕切壁との両方を含む意味である。
【００３５】
本実施形態の採風空間１１は屋内空間であり、第１〜第３区画壁１１ａ〜１１ｃは、屋内の空間同士を区画する仕切壁である。また、本実施形態では、第４区画壁１１ｄは、屋内外を区画する外壁により構成される。
【００３６】
但し、採風空間１１を、ルーフバルコニーや、周囲を壁に囲まれて上部が開放されている屋外空間（「オープンロッジア」と称される場合がある。）などの屋外空間とすることもできる。採風空間１１をルーフバルコニーとした場合には、第１〜第３区画壁１１ａ〜１１ｃは、屋内外を区画する外壁により構成される。また、採風空間１１を所謂オープンロッジアとした場合には、第１〜第４区画壁１１ａ〜１１ｄは、屋内外を区画する外壁により構成される。
【００３７】
また、本実施形態の建物１は、他の建物２００と隣接している。より具体的には、採風空間１１の第４辺は、他の建物２００の外周壁に対して略平行にかつ近接して配置されている。第４辺と他の建物２００の外周壁との間の対向距離は、例えば５０センチメートル〜２００センチメートルである。
【００３８】
採風部には、板状部材としての縦辷り出し窓１５が設けられている。縦辷り出し窓１５は、第１採風開口部１４ａと第２採風開口部１４ｂとを開閉することができる。図２Ａに示すように縦辷り出し窓１５が開いている際には、縦辷り出し窓１５は、第１採風開口部１４ａと第２採風開口部１４ｂとの間に挟まれ、第４辺よりも建物１の外部空間に向かって突出し、建物１の外周壁２に沿って流れる風の流れを変えて採風空間１１内に風を取り入れる。板状部材を縦辷り出し窓１５とすることで、板状部材を１つの建具のみで構成することができるとともに、建具の開閉作業を容易にすることができる。また、縦辷り出し窓１５は、窓としての機能と、風の流れを変えて採風空間１１内に風を取り入れる機能とを併せ持つことができる。
【００３９】
なお、上述した板状部材は、第４辺から建物１の外部空間に向かって突出し、建物１の外周壁２に沿って流れる風の流れを変えて採風部から採風空間１１内に風を取り入れるものであればよく、本実施形態の縦辷り出し窓１５に限られるものではない。したがって、例えば、第４区画壁１１ｄに設けられた第１採風開口部１４ａ及び／又は第２採風開口部１４ｂを開閉可能な片開き窓としてもよい。但し、第１採風開口部１４ａ及び第２採風開口部１４ｂそれぞれに板状部材として片開き窓を設ける場合には、これらの片開き窓を、互いが隣接する側が吊元となり、それぞれ外側が開くように設置することが好ましい。このようにすれば、建物１の外部空間に向かって両方の片開き窓を開いた場合であっても、第１採風開口部１４ａ及び第２採風開口部１４ｂの両方から風を取り入れ易くなる。但し、上述したように、板状部材を本実施形態のような縦辷り出し窓１５とすれば、１つの建具のみで、第１採風開口部１４ａ及び第２採風開口部１４ｂの開閉が可能となる。
【００４０】
建物１では、第１採風開口部１４ａ、第２採風開口部１４ｂ、第１通風開口部１２ａ及び第２通風開口部１２ｂをそれぞれ開閉することで、建物１の中に所望の風の流れを作り出すことができる。図２Ａに示す状態では、縦辷り出し窓１５及び引き違い戸１３ａを開いて、第１採風開口部１４ａ、第２採風開口部１４ｂ及び第１通風開口部１２ａを開く一方で、引き違い戸１３ｂを閉じて、第２通風開口部１２ｂを閉じる。このような状態で、図２Ａに示すように建物１と建物２００との間に南から風Ｗが吹いた場合には、風Ｗは、縦辷り出し窓１５に当たり、第１採風開口部１４ａを通じて採風空間１１内に流れ込む。風Ｗはその後、第２区画壁１１ｂ及び第３区画壁１１ｃに沿って流れ、第１通風開口部１２ａを通じて室内空間である主寝室１９ａへ流れ込む。
【００４１】
ここで、縦辷り出し窓１５の開き加減を調整することで、採風空間１１内に流れ込む風の量を調整することができる。また、引き違い戸１３ａの開き加減を調整することで、主寝室１９ａへ流れ込む風の量を調整することができる。
【００４２】
この実施形態では、第１通風開口部１２ａが、第１区画壁１１ａと、第３区画壁１１ｃとにより形成される入隅部１１ｅに隣接して配置されている。これにより、第１区画壁１１ａ及び第３区画壁１１ｃに沿って流れる風Ｗを、室内空間である主寝室１９ａに取り込みやすくすることができる。
【００４３】
このような風の流れを作り出すことで、採風空間１１及び主寝室１９ａに風を流し、採風空間１１及び主寝室１９ａを通風させることができる。また、第１採風開口部１４ａ、第２採風開口部１４ｂ及び第１通風開口部１２ａを通じて、光を採風空間１１及び主寝室１９ａに取り入れることができる。その一方で、子供室１９ｂと採風空間１１との間は引き違い戸１３ｂによって閉じられているため、子供室１９ｂの気密性等を確保することができる。
【００４４】
ここで、採風空間１１に屋根を設けることで、採風空間１１に雨等が入り込むことを防ぐことができる。また、採風空間１１に屋根に天窓を設けることで、採風空間１１及び主寝室１９ａの採光性を向上させることができる。
【００４５】
さらにこの実施形態では、第２区画壁とは反対側で、第１区画壁と対向する第２外壁２ａ２に換気開口部１６ａを形成する。換気開口部１６ａには、開閉可能な建具としての引き違い窓１６ｂが設けられている。上述した図２Ａに示す状態で、引き違い窓１６ｂを開いた場合には、主寝室１９ａに流れ込んだ風Ｗは、主寝室１９ａを通り、換気開口部１６ａを通って建物１の外に流れ出る。このようにして、主寝室１９ａを換気することができる。
【００４６】
また、建物１に、上述した風の流れとは異なる風の流れを作り出すことができる。図２Ｂに示すように、引き違い戸１３ａ及び１３ｂを開いて、第１通風開口部１２ａ及び第２通風開口部１２ｂを開く一方で、縦辷り出し窓１５を閉じて、第１採風開口部１４ａ及び第２採風開口部１４ｂを閉じた状態について以下説明する。なお、子供室１９ｂの南側の引き違い戸１９ｂ２、及び部屋１９ｃの南側の引き違い戸１９ｃ１も開いているものとする。このような状態で、図２Ｂに示すように、南から風Ｗが吹いた場合には、風Ｗは、ベランダ１９ｄから部屋１９ｃ、子供室１９ｂ、採風空間１１及び主寝室１９ａを順に通り、主寝室１９ａの換気開口部１６ａを通って建物１の外へ流れ出る。このように、多数の部屋を通る風を生み出すこともできる。
【００４７】
建物１に、更に異なる風の流れを作り出すことができる。縦辷り出し窓１５を開いて、第１採風開口部１４ａ及び第２採風開口部１４ｂを開く一方で、引き違い戸１３ａ及び１３ｂを閉じて、第１通風開口部１２ａ及び第２通風開口部１２ｂを閉じた状態について以下説明する。このような状態では、建物１と建物２００との間に南から風Ｗが吹いた場合には、風Ｗは、縦辷り出し窓１５に当たり、第１採風開口部１４ａを通じて採風空間１１内に流れ込む。風Ｗはその後、第２区画壁１１ｂ、第３区画壁１１ｃ及び第１区画壁１１ａに順に沿って流れ、第２採風開口部１４ｂを通じて建物の外に流れ出る。このように、採風空間１１以外の室内空間の気密性を確保したまま、採風空間１１のみに風を流すこともできる。
【００４８】
詳述はしないが、建物１の各建具の開閉状態等を操作することで、建物１に更に異なる風の流れを作り出すこともできる。
【００４９】
さらに建物１によれば、屋内空間へのプライバシーを確保することができる。上述したように、採風空間１１の第３辺に設けられた第３区画壁１１ｃには開口部が形成されておらず、また、第１及び第２通風開口部１２ａ及び１２ｂが設けられた第１及び第２区画壁１１ａ及び１１ｂは、第４辺と略直交する。このため、採風部の第１及び第２採風開口部１４ａ及び１４ｂが開いていても、又は第１及び第２採風開口部１４ａ及び１４ｂに設けられる建具がガラス等を含む透明部材であっても、建物１に隣接する他の建物２００から、採風空間１１以外の室内空間を見ることは困難である。
【００５０】
なお、上述した実施形態では、採風部に２つの採風開口部１４ａ、１４ｂを設けているが、採風部に採風開口部を１つのみ設けることもできる。この構成を、例えば縦辷り出し窓１５を片開き窓とすることによって実現することができる。また、採風部に３つ以上の採風開口部を設けることもできる。
【００５１】
本発明に係る建物は、上述した実施形態に示した構成に限られるものではなく、特許請求の範囲に記載した発明の要旨を逸脱しない範囲で種々の変更が可能である。例えば、上述した建物１は、鉄骨造の軸組みを有する２階建ての住宅であるが、１階建て（平屋）の建物や３階建て以上の建物であってもよい。また、鉄骨造の軸組み構造に限られるものではなく、木造の軸組みを有する建物や、鉄筋コンクリート造の建物であってもよい。更に、上述した建物１では、建物１の西側に屋外空間２１を設けているが、屋外空間２１の位置は、建物１の立地条件等により適宜変更することが可能である。
【産業上の利用可能性】
【００５２】
本発明は建物に関する。
【符号の説明】
【００５３】
１：建物
２：外周壁
２ａ：上階外周壁
２ａ１：第１外壁
２ａ２：第２外壁
２ａ３：第３外壁
２ａ４：第４外壁
２ｃ：対向壁
３：床仕切体
３ａ：第１床開口部
４ａ、４ｂ：出隅部
１１：採風空間
１１ａ：第１区画壁
１１ｂ：第２区画壁
１１ｃ：第３区画壁
１１ｄ：第４区画壁
１１ｅ：入隅部
１２ａ：第１通風開口部
１２ｂ：第２通風開口部
１３ａ、１３ｂ、１９ｂ２、１９ｃ１：引き違い戸
１４ａ：第１採風開口部
１４ｂ：第２採風開口部
１５：縦辷り出し窓
１６ａ：換気開口部
１６ｂ：引き違い窓
１７：廊下
１８：リビング
１９ａ：主寝室
１９ｂ：子供室
１９ａ１、１９ｂ１：クローゼット
１９ｃ：部屋
１９ｄ：ベランダ
２０：洗面室
２１：屋外空間
２３：浴室
２４：トイレ
４０ａ：第１格子床部
４０ｂ：第２格子床部
４１：桟材
２００：建物
Ａ：平面視での第１外壁の延在方向
Ｗ：風
【図１】
0006804856.tif 000002
【図２Ａ】
0006804856.tif 000003
【図２Ｂ】
0006804856.tif 000004